(57)【要約】      （修正有）【課題】従来の利点を損なわず、流通性に優れた新規な薄肉容器を提供する。【解決手段】薄肉容器１は、内容物を充填する胴部2と、この胴部2に繋がる肩部3と、この肩部3から起立する注出筒4と、この注出筒4に切断予定線5を介して分離可能に連結される栓体6とを有し、栓体6の分離に用いられる把手7を注出筒の上端6aにヒンジ9aを介して折り畳み可能に連結し、栓体6及び把手7に、凹部C1及びそれに嵌合する凸部C2を設け、胴部2の上端を内側に折り返して肩部3に連結する折り返し部2aを形成することで、把手7を折り畳んだ栓体6が胴部2内側に収納されて肩部3を胴部2の内側に陥没可能にし、把手7に膨出部7aを設け、この膨出部7a下端にヒンジ9bを介して補助部材7bを折り畳み可能に連結し、膨出部7a及び補助部材7bに膨出部7a及び補助部材7bの折り畳み状態を維持する貫通孔C3及びそれに嵌合する凸部C2を設ける。【選択図】図１
2010126229.tif 000002
【特許請求の範囲】
【請求項１】
内容物を充填する胴部と、この胴部に繋がる先細りの肩部と、この肩部から起立する注出筒と、この注出筒の先端開口に切断予定線を介して分離可能に連結される栓体とを有し、
この栓体の分離に用いられる把手を当該栓体の上端にヒンジを介して折り畳み可能に連結すると共に、
把手及び栓体にそれぞれ、把手の折り畳み状態を維持する手段を設け、更に、
胴部の上端を内側に折り返して肩部に連結する折り返し部を形成することで、当該肩部を胴部の内側に陥没可能にしたことを特徴とする、薄肉容器。
【請求項２】
請求項１において、前記把手に、側方に向かって伸びる膨出部を設け、この膨出部の下端にヒンジを介して補助部材を折り畳み可能に連結すると共に、
膨出部及び補助部材にそれぞれ、膨出部及び補助部材の折り畳み状態を維持する手段を設けたことを特徴とする、薄肉容器。
【請求項３】
請求項１又は２において、前記手段は、互いに着脱可能に嵌合する凸部及び凹部、又は、凸部及び貫通孔であることを特徴とする、薄肉容器。
【請求項４】
請求項１において、前記手段は、把手に形成した貫通孔に、栓体に設けた突起部に通して引っ掛けるものであることを特徴とする、薄肉容器。
【発明の詳細な説明】
【技術分野】
【０００１】
本発明は、把手を備えた栓体を一体に形成してなる薄肉容器であって、その保管や搬送等を効率的に行うための技術に関するものである。
【背景技術】
【０００２】
従来の薄肉容器としては、例えば、内容物を充填する胴部から注出筒を突出させることで内容物の注出が容易で、また、この注出筒の先端開口に連結した栓体に把手を設けることで、当該栓体を分離させ易くした薄肉ブロー成形容器がある（例えば、特許文献１参照）。
【特許文献１】特開２００５−６７７０５号公報
【発明の開示】
【発明が解決しようとする課題】
【０００３】
しかしながら、こうした従来の薄肉容器は、その注出筒が常時、胴部から突出するため、保管や搬送の際に嵩張ることがあり、特に、把手を設けた場合は、こうした嵩張りの問題が顕著である。このため、本願発明者は、保管や搬送に有効な薄肉容器に対する需要を認識するに至った。
【０００４】
本発明は、こうした事実認識に基づいてなされたものであり、その目的とするところは、従来の利点を損なうことなく、流通性に優れた新規な薄肉容器を提供することにある。
【課題を解決するための手段】
【０００５】
本発明である、薄肉容器は、内容物を充填する胴部と、この胴部に繋がる先細りの肩部と、この肩部から起立する注出筒と、この注出筒の先端開口に切断予定線を介して分離可能に連結される栓体とを有し、
この栓体の分離に用いられる把手を当該栓体の上端にヒンジを介して折り畳み可能に連結すると共に、
把手及び栓体にそれぞれ、把手の折り畳み状態を維持する手段を設け、更に、
胴部の上端を内側に折り返して肩部に連結する折り返し部を形成することで、当該肩部を胴部の内側に陥没可能にしたことを特徴とするものである。
【０００６】
本発明に従えば、前記把手に、側方に向かって伸びる膨出部を設け、この膨出部の下端にヒンジを介して補助部材を折り畳み可能に連結すると共に、膨出部及び補助部材にそれぞれ、膨出部及び補助部材の折り畳み状態を維持する手段を設けることができる。この場合、膨出部と補助部材との間に貫通孔を形成すれば、指を引っ掛けて栓体を分離するためのプルリングとして機能させることも可能である。
【０００７】
また、本発明に係る手段には、互いに着脱可能に嵌合する凸部及び凹部又は凸部及び貫通孔や、把手に形成した貫通孔に、栓体に設けた突起部に通して引っ掛けるものが挙げられる。
【０００８】
また、本発明に係る薄肉容器としては、薄肉のブロー成形容器及び射出成形容器など、様々な容器が挙げられる。
【発明の効果】
【０００９】
本発明によれば、把手を折り畳んで栓体と共に胴部の内側に収納することで、容器をコンパクト化することができる。このため、本発明によれば、保管時や搬送時、又は、陳列時等において嵩張り難く、スペースの有効活用が図れる。しかも、肩部を陥没させた後、容器を反転させれば、折り返し部を底部として、そのまま立て置くことができる。
【００１０】
また、容器として使用する際には、把手ごと胴部から引き出せば、肩部から注出筒を起立させることができる。このため、従来と同様、内容物を容易に取り出すことができる。また、折り畳まれた把手を開けば、従来と同様、栓体を注出筒から容易に分離させることができる。
【００１１】
従って、本発明によれば、従来の利点を損なうことなく、流通性に優れた新規な薄肉容器を提供することができる。
【００１２】
また、前記把手に、側方に向かって伸びる膨出部を設け、この膨出部の下端にヒンジを介して補助部材を折り畳み可能に連結すると共に、膨出部及び補助部材にそれぞれ、補助部材の折り畳み状態を維持する手段を設ければ、大きな把手をコンパクトに収納できるので、流通性を改善しつつ、栓体の分離を更に容易なものとすることができる。
【００１３】
更に、本発明に係る手段として、互いに着脱可能に嵌合する凸部及び凹部、又は、凸部及び貫通孔を採用すれば、当該手段の配置スペースを広く確保する必要がないため、栓体の分離操作が容易になるように、把手に貫通孔を形成することで、当該把手に折り畳み状態を維持するための手段を設ける場合に有効である。また、このような利点は、本発明に係る手段として、把手に形成した貫通孔に、栓体に設けた突起部に通して引っ掛けるものを採用した場合も、同様である。
【発明を実施するための最良の形態】
【００１４】
図１は、本発明の第１の形態である、チューブ形の薄肉容器（以下、「薄肉容器」という）１を一部断面で示す正面図であり、図２，３はそれぞれ、図１の要部を一部断面で示す左側面図と、図１の他の要部をＹ−Ｙ断面で示す右側面図である。また、図４は、同容器をコンパクト化させた状態を模式的に上方から示す平面図及び、その要部を一部断面で示す正面図である。
【００１５】
薄肉容器１は、内容物を充填する胴部２と、この胴部２に繋がり、胴部軸線Ｏに沿って先細りの肩部３と、この肩部３から胴部軸線Ｏに沿って起立する注出筒４と、この注出筒４の先端開口に薄肉部として形成された切断予定線５を介して分離可能に連結される栓体６と、この栓体６の分離に用いられる把手７とを一体にブロー形成し、その下端にヒートシールを行うことで、底部８を形成してなる。
【００１６】
栓体６の上端（以下、「栓体上端」という）６ａは平面として構成され、この栓体上端６ａにヒンジ９ａを介して把手７が折り畳み可能に連結されている。これにより、把手７は栓体上端６ａに合せて折り畳むことができる。
【００１７】
栓体６及び把手７にはそれぞれ、把手７の折り畳み状態を維持する第１の手段が設けられている。第１の手段は、栓体上端６ａに形成された凹部Ｃ1と、把手７における栓体上端６ａとの合せ面側に設けられた凸部Ｃ2とからなる。凹部Ｃ1及び凸部Ｃ2は、互いに着脱可能に嵌合する。
【００１８】
本形態では、その嵌合方法として、圧入嵌合を採用しているが、凹部Ｃ1及び凸部Ｃ2の側面をアンダーカット嵌合（例えば、凹部及び凸部を形成しその引っ掛かりによる嵌合）させることもできる。
【００１９】
加えて、把手７には、その側面の一方が横方向に向かって伸びることで、膨出部７ａが一体に形成されている。膨出部７ａの下端には、ヒンジ９ａ，９ｂを介して補助部材７ｂが図４に示すように折り畳み可能に連結されている。
【００２０】
これにより、補助部材７ｂを押し倒す等して、ヒンジ９ａ，９ｂを基点にした折り畳み操作が行われると、補助部材７ｂは、図４に示すように、膨出部７ａの折り畳みに併せて、互い合さるように折り畳むことができる。
【００２１】
また、本形態では更に、膨出部７ａと補助部材７ｂとの間に貫通孔Ａ1が形成されている。これにより、膨出部７ａと補助部材７ｂは、指を引っ掛けて栓体を分離するためのプルリングとして機能する。
【００２２】
加えて、膨出部７ａ及び補助部材７ｂにもそれぞれ、膨出部７ａ及び補助部材７ｂの折り畳み状態を維持する第２の手段が設けられている。第２の手段は、膨出部７ａに形成された貫通孔Ｃ3と、補助部材７ｂにおける膨出部７ａとの合せ面側に設けられた凸部Ｃ2とからなる。貫通孔Ｃ3及び凸部Ｃ2は、互いに着脱可能に嵌合する。
【００２３】
この場合も、第１の手段と同様、その嵌合方法として、圧入嵌合を採用しているが、貫通孔Ｃ3及び凸部Ｃ2の側面をアンダーカット嵌合（例えば、凹部及び凸部を形成しその引っ掛かりによる嵌合）させることもできる。
【００２４】
加えて、本形態では、胴部２の上端を胴部２の内側に湾曲させることで胴部軸線Ｏを取り囲むように環状の折り返し部２ａを形成し、この折り返し部２ａを介して胴部２を肩部３に連結する。これにより、肩部３を胴部軸線Ｏに沿って胴部３の内側に押し込めば、肩部３は、図４に示すように、胴部軸線Ｏに沿って胴部３の内側に向かって反転、陥没させることができる。
【００２５】
かかる構成によれば、胴部２に対する肩部３の陥没量を、折り返し部２ａから把手７までの高さ等に応じて適宜設定することで、把手７を備える栓体６によりその先端開口が封止された注出筒４は、図４に示すように、把手７を折り畳んだ栓体６ごと、胴部３の内側に収納することができる。
【００２６】
即ち、本形態の薄肉容器１によれば、把手７を折り畳んで栓体６と共に胴部３の内側に収納することで、薄肉容器そのものをコンパクト化することができる。このため、本形態の薄肉容器１によれば、保管時や搬送時、又は、陳列時等において嵩張り難く、スペースの有効活用が図れる。しかも、肩部３を陥没させた後、容器を反転させれば、折り返し部２ａを底部として、そのまま立て置くことができる。
【００２７】
また、容器として使用する際には、把手７ごと注出筒４を胴部軸線Ｏに沿って上向き引き上げることで胴部３から引き出せば、図１に示すように、肩部３から注出筒４を起立させることができる。このため、注出筒４引き上げた後、膨出部７ａ及び補助部材７ｂを開いて把手７を形成し、これを用いて栓体６を切断予定線５に沿って切断すれば、従来と同様、内容物を容易に取り出すことができる。また、上述のとおり折り畳まれた把手７を開くことで、従来と同様、栓体６を注出筒４から容易に分離させることができる。
【００２８】
従って、本形態の薄肉容器１によれば、従来の利点を損なうことなく、流通性に優れた新規な薄肉容器を提供することができる。
【００２９】
また、本形態の如く、把手７に、側方に向かって伸びる膨出部７ａを把手７の一部として設け、この膨出部７ａの下端に更に、ヒンジ９ａ，９ｂを介して、同じく把手７の一部として補助部材７ｂを折り畳み可能に連結すると共に、膨出部７ａ及び補助部材７ｂにそれぞれ、膨出部７ａ及び補助部材７ｂの折り畳み状態を維持する第２の手段を設ければ、大きな把手７をコンパクトに収納できるので、流通性を改善しつつ、栓体６の分離を更に容易なものとすることができる。
【００３０】
更に、本形態の如く、把手７の折り畳み状態を維持する手段として、互いに着脱可能に嵌合する凹部Ｃ1及び凸部Ｃ2、又は、貫通孔Ｃ3及び凸部Ｃ2を採用すれば、当該手段の配置スペースを広く確保する必要がない。このため、本形態の如く、栓体６の分離操作が容易になるように、把手７に貫通孔Ａ1を形成することでプルリングとして構成した場合に有効である。
【００３１】
次に、図５，６はそれぞれ、本発明の第２の形態である、第１の形態の変形例であって、その要部を示す正面図及び、図５の要部を一部断面で示す右側面図である。また、図７は、同容器をコンパクト化させた状態を模式的に上方から示す平面図及び、その要部を一部断面で正面図である。なお、第１の形態と実質的に同一部分は、同一符号をもって、その説明を省略する。
【００３２】
本形態も、栓体上端６ａにヒンジ９ｃを介して把手７０が折り畳み可能に連結されている。把手７０は、図５等に示すように、その内側に貫通孔Ａ2が形成されたプルリングとしてなる。これに対し、栓体６には、図６に示すように、栓体６から突出する突起部６ｂが一体に設けられている。この突起部６ｂは、図７に示すように。把手７０の折り畳みに際し、この把手７０の貫通孔Ａ2に通して引っ掛けることができる。即ち、栓体６の突起部６ｂ及び把手７０は、栓体６及び把手７０の折り畳み状態を維持する第３の手段として機能する。
【００３３】
本形態も、第１の形態と同様、従来の利点を損なうことなく、流通性に優れた新規な薄肉容器を提供することができる。また、本形態の如く、把手の折り畳み状態を維持する手段として、把手７０に形成した貫通孔Ａ2に、栓体６に設けた突起部６ｂに通して引っ掛けるものを採用しても、当該手段の配置スペースを広く確保する必要がない。このため、本形態も、第１の形態と同様、栓体６の分離操作が容易になるように、把手７０をプルリングとして構成した場合に有効である。
【００３４】
図８は、本発明の第３の形態である、第２の形態の変形例であって、その要部を示す正面図である。本形態は、把手７１が把持部として機能する。このため、把手７１に形成した貫通孔Ａ3は、突起部６ｂに引っ掛ける機能のみ有する。なお、本形態の場合も、第１の形態と実質的に同一部分は、同一符号をもって、その説明を省略する。
【００３５】
図９は、本発明の第４の形態である、第３の形態の変形例であって、その要部を示す正面図である。本形態は、栓体６と把手７１とを２つのヒンジ９ｄを用いて連結することで、その相互間に貫通孔Ａ4が形成されている。この場合、把手７１の折り畳み動作及びその開き動作が容易になるため、操作性がよい。なお、本形態の場合も、第１の形態と実質的に同一部分は、同一符号をもって、その説明を省略する。
【００３６】
上述したところは、本発明の一形態を示したものに過ぎず、薄肉注出容器の用途に応じて様々に設計変更することができる。例えば、第１の形態のように、把手７が膨出部７ａを一体に備えるものである場合、第１の手段と第２の手段は少なくとも一方が存在すればよい。また、薄肉容器としては、薄肉のブロー成形容器ではなく、射出成形容器も採用できる。また、各形態に採用された各構成はそれぞれ、互いに適宜組み合わせることができる。
【産業上の利用可能性】
【００３７】
本発明は、チューブ形容器だけでなく、スタンディングタイプのボトル等、注出筒を有る容器であれば、様々な形状の容器に適用することができる。即ち、シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００３８】
【図１】本発明の第１の形態である、薄肉容器を一部断面で示す正面図である。
【図２】図１の要部を一部断面で示す左側面図である。
【図３】図１の他の要部をＹ−Ｙ断面で示す右側面図である。
【図４】同容器をコンパクト化させた状態を模式的に上方から示す平面図及び、その要部を一部断面で示す正面図である。
【図５】本発明の第２の形態である、第１の形態の変形例であって、その要部を示す正面図である。
【図６】図５の要部を一部断面で示す右側面図である。
【図７】同容器をコンパクト化させた状態を模式的に上方から示す平面図及び、その要部を一部断面で正面図である。
【図８】本発明の第３の形態である、第２の形態の変形例であって、その要部を示す正面図である。
【図９】本発明の第４の形態である、第３の形態の変形例であって、その要部を示す正面図である。
【符号の説明】
【００３９】
１    薄肉容器
２    胴部
２ａ  折り返し部
３    肩部
４    注出筒
５    切断予定線
６    栓体
６ａ  栓体上端
６ｂ  突起部
７    把手
７ａ  膨出部（把手）
７ｂ  補助部材（把手）
９ａ  ヒンジ
９ｂ  ヒンジ
９ｃ  ヒンジ
９ｄ  ヒンジ
Ａ1   貫通孔
Ａ2   貫通孔
Ａ3   貫通孔
Ａ4   貫通孔
７１  把手
【図１】
2010126229.tif 000003
【図２】
2010126229.tif 000004
【図３】
2010126229.tif 000005
【図４】
2010126229.tif 000006
【図５】
2010126229.tif 000007
【図６】
2010126229.tif 000008
【図７】
2010126229.tif 000009
【図８】
2010126229.tif 000010
【図９】
2010126229.tif 000011